(57)【要約】【課題】ユーザが利用するサービスに応じて容易かつ柔軟に対応でき、サービスの拡張等も容易に行うことが可能な光受信装置を提供する。【解決手段】光受信装置１０は、光ファイバ１１の一端を終端するアクセス網光接続終端部１２、電源部１３、光ファイバ１１により伝送される光の波長を分離する波長分離部１４、波長分離部１４に接続する通信モジュールを着脱可能に装着する通信モジュール接続部１５を備え、少なくともＧＥ−ＯＮＵモジュール１６、Ｖ−ＯＮＵモジュールＡ１７、Ｖ−ＯＮＵモジュールＢ１８のいずれかをユーザが利用する所望の光通信サービスに応じて着脱可能に取り付けて接続できる構成となっている。【選択図】図１
2008277962.tif 000002
【特許請求の範囲】
【請求項１】
光ファイバ回線網と接続される光ファイバの一端を終端する光接続終端部と、
前記光接続終端部を介して前記光ファイバにより伝送される光の波長を分離する波長分離部と、
前記波長分離部に接続する通信モジュールを着脱可能に装着する通信モジュール接続部と、
前記通信モジュールに電源を供給する電源部とを備えるとともに、
前記通信モジュール接続部に装着される通信モジュールとして、少なくとも、前記波長分離された光を光電変換してビデオ信号に関する信号処理を行うビデオ通信モジュール、または、前記波長分離された光を光電変換してデータ信号に関する信号処理を行うデータ通信モジュールのいずれか一つを備える光受信装置。
【請求項２】
請求項１に記載の光受信装置であって、
前記着脱可能な通信モジュールのビデオ通信モジュールとして、異なる波長の光信号を用いる第１のビデオ通信モジュールと第２のビデオ通信モジュールの少なくとも一方を備える光受信装置。
【請求項３】
請求項１に記載の光受信装置であって、
前記波長分離された光を光電変換してデータ信号に関する信号処理を行うデータ通信モジュールを内蔵し、前記着脱可能な通信モジュールとして、少なくとも前記ビデオ通信モジュールを備える光受信装置。
【請求項４】
請求項１に記載の光受信装置であって、
前記着脱可能な通信モジュールとして、前記光ファイバにより伝送される光信号を延長する光延長配線モジュールを備える光受信装置。
【請求項５】
請求項１に記載の光受信装置であって、
前記波長分離部は、所定の波長の光を分離する光波長分離素子と、前記光を伝送する光伝送路を前記通信モジュールとの間で着脱可能に接続する光コネクタ部とを備える光受信装置。
【請求項６】
請求項５に記載の光受信装置であって、
前記波長分離部は、光伝送路ユニットと、この光伝送路ユニットに着脱可能に接続される前記光波長分離素子を有する波長分離モジュールとを備える光受信装置。
【請求項７】
請求項５に記載の光受信装置であって、
前記波長分離部は、前記光伝送路の末端を終端状態とする終端部を備える光受信装置。
【請求項８】
請求項１〜７のいずれかに記載の光受信装置と、この光受信装置の通信モジュール接続部に着脱自在に装着可能な通信モジュールとを含む光受信システム。
【請求項９】
請求項１〜７のいずれかに記載の光受信装置と、
この光受信装置の通信モジュール接続部に着脱自在に装着可能であるとともに、ビデオ信号の信号処理を行う映像機器において着脱自在に接続して使用可能である通信モジュールとを含む光受信システム。
【請求項１０】
請求項１に記載の光受信装置における通信モジュール接続部に着脱自在に装着可能な通信モジュール。
【請求項１１】
請求項１０に記載の通信モジュールであって、
前記光受信装置に着脱可能であるとともに、ビデオ信号の信号処理を行う映像機器において着脱自在に接続して使用可能である通信モジュール。
【発明の詳細な説明】
【技術分野】
【０００１】
本発明は、ＦＴＴＨ（Fiber To The Home）等の光ファイバ回線網を用いた光通信システムの光終端装置等に用いられる光受信装置に関する。
【背景技術】
【０００２】
近年、ＦＴＴＨ等の光ファイバ回線網を用いて、テレビの有線放送や電話サービス、高速のインターネット接続サービス等を行う光通信サービスが普及してきている。この種の光通信サービスを行う光ネットワークでは、ユーザ側のノードに光ファイバケーブルで伝送された光信号を電気信号に変換する光終端装置が接続されユーザの家屋等やその近傍の屋外等に設置される。そして、光終端装置にモデムや端末等が接続され、サービス提供者との間でデータ通信が行われる。
【０００３】
この種の光終端装置は、映像配信用、データ通信用など、各種用途別に構成されたＯＮＵ（Optical Network Unit）を備えている。従来は、用途別にＯＮＵや光終端装置を設置する必要があったため、光通信サービスの普及や用途の広がりとともに、複数の用途に対応可能な光終端装置が望まれている。
【０００４】
例えば、特許文献１には、活線挿抜可能なインタフェースボードを筐体内に組み込み可能に構成された加入者光終端装置が開示されている。この装置によれば、インタフェースボードを取り替えることで各種サービスに対応可能である。また、非特許文献１には、放送用ＯＮＵとデータ通信用ＯＮＵとを収容した屋外設置用一体型ＯＮＵが開示されている。この装置によれば、一体型の光終端装置によって映像配信とデータ通信の両サービスに対応可能である。
【特許文献１】特開２００３−３１８８２２号公報
【非特許文献１】日本電気株式会社、「FTTH Solutions Guide」、2006年8月、http://www.nec.co.jp/access/brochures/FTTH-SG.pdf
【発明の開示】
【発明が解決しようとする課題】
【０００５】
しかしながら、上記特許文献１の構成では、光終端装置の設置時に作業者がインタフェースボードを取り付けたり、利用するサービスの変更時や拡張時に作業者がインタフェースボードを交換する等の作業が必要である。このため、例えばユーザが利用するサービスに応じてインタフェースボードを設置したり交換することはできなかった。
【０００６】
また、上記非特許文献１の構成では、映像配信用とデータ通信用の一体型の光終端装置であるため、例えばデータ通信の必要が無い場合でも両方の機能を持った光終端装置を設置することになる。このため、ユーザが利用するサービスに関わらず、設置場所に大きなスペースが必要である。また、異常時には異常となった機能の切り分け等が難しく機能復帰や修理の対応が煩雑であり、全てのサービスが停止することになるので、使い勝手に課題を有していた。またこの構成においても、設置後にサービスの変更や拡張を行うには全てのユニットを交換する等の方法を採らざるを得ないので、対応が困難であった。
【０００７】
本発明は、上記事情に鑑みてなされたもので、ユーザが利用するサービスに応じて容易かつ柔軟に対応でき、サービスの拡張等も容易に行うことが可能な光受信装置を提供することを目的とする。
【課題を解決するための手段】
【０００８】
本発明の光受信装置は、光ファイバ回線網と接続される光ファイバの一端を終端する光接続終端部と、前記光接続終端部を介して前記光ファイバにより伝送される光の波長を分離する波長分離部と、前記波長分離部に接続する通信モジュールを着脱可能に装着する通信モジュール接続部と、前記通信モジュールに電源を供給する電源部とを備えるとともに、前記通信モジュール接続部に装着される通信モジュールとして、少なくとも、前記波長分離された光を光電変換してビデオ信号に関する信号処理を行うビデオ通信モジュール、または、前記波長分離された光を光電変換してデータ信号に関する信号処理を行うデータ通信モジュールのいずれか一つを備えるものである。
【０００９】
これにより、着脱可能な通信モジュールを備えることで、ビデオ信号を配信するビデオ配信サービス、データ信号を送受信するデータ通信サービスなど、ユーザが利用するサービスに応じて容易かつ柔軟に対応でき、サービスの拡張等も容易に行うことが可能となる。
【００１０】
また、本発明は、上記の光受信装置であって、前記着脱可能な通信モジュールのビデオ通信モジュールとして、異なる波長の光信号を用いる第１のビデオ通信モジュールと第２のビデオ通信モジュールの少なくとも一方を備えるものを含む。
【００１１】
また、本発明は、上記の光受信装置であって、前記波長分離された光を光電変換してデータ信号に関する信号処理を行うデータ通信モジュールを内蔵し、前記着脱可能な通信モジュールとして、少なくとも前記ビデオ通信モジュールを備えるものを含む。
【００１２】
また、本発明は、上記の光受信装置であって、前記着脱可能な通信モジュールとして、前記光ファイバにより伝送される光信号を延長する光延長配線モジュールを備えるものを含む。
【００１３】
また、本発明は、上記の光受信装置であって、前記波長分離部は、所定の波長の光を分離する光波長分離素子と、前記光を伝送する光伝送路を前記通信モジュールとの間で着脱可能に接続する光コネクタ部とを備えるものを含む。
【００１４】
また、本発明は、上記の光受信装置であって、前記波長分離部は、光伝送路ユニットと、この光伝送路ユニットに着脱可能に接続される前記光波長分離素子を有する波長分離モジュールとを備えるものを含む。
【００１５】
また、本発明は、上記の光受信装置であって、前記波長分離部は、前記光伝送路の末端を終端状態とする終端部を備えるものを含む。
【００１６】
また、本発明は、上記いずれかの光受信装置と、この光受信装置の通信モジュール接続部に着脱自在に装着可能な通信モジュールとを含む光受信システムを提供する。
【００１７】
また、本発明は、上記いずれかの光受信装置と、この光受信装置の通信モジュール接続部に着脱自在に装着可能であるとともに、ビデオ信号の信号処理を行う映像機器において着脱自在に接続して使用可能である通信モジュールとを含む光受信システムを提供する。
【００１８】
また、本発明は、上記の光受信装置における通信モジュール接続部に着脱自在に装着可能な通信モジュールを提供する。
【００１９】
また、本発明は、上記の通信モジュールであって、
前記光受信装置に着脱可能であるとともに、ビデオ信号の信号処理を行う映像機器において着脱自在に接続して使用可能であるものを含む。
【発明の効果】
【００２０】
本発明によれば、ユーザが利用するサービスに応じて容易かつ柔軟に対応でき、サービスの拡張等も容易に行うことが可能な光受信装置を提供できる。
【発明を実施するための最良の形態】
【００２１】
本実施形態では、光受信装置の構成例として、ＦＴＴＨ等の光ファイバ回線網のユーザ側に設置される光終端装置に適用した場合の構成例を示す。
【００２２】
図１は本発明の第１の実施形態に係る光受信装置の概略構成を示すブロック図である。光終端装置として設けられる光受信装置１０は、光ファイバ回線網に接続された光ファイバ１１の一方の終端を収納するもので、光ファイバ１１の一端が接続される光接続終端部の機能を有するアクセス網光接続終端部１２と、各部に電源を供給する電源部１３と、光ファイバ１１から伝送される光を波長ごとに分離する波長分離部１４とを備える。この光受信装置１０は、光通信サービスのユーザの家屋等のユーザ宅内に設置される。ユーザ宅としては、一般住宅の家屋だけでなく、共同住宅、店舗、工場、その他の各種施設を含むものとする。
【００２３】
また、光受信装置１０は、各種の光通信サービスに対応した通信モジュールを着脱可能に接続する接続スロットである通信モジュール接続部１５を備えている。この通信モジュール接続部１５には、プラグイン型の通信モジュールとして、ＧＥ−ＯＮＵ（Gigabit Ethernet-Optical Network Unit）モジュール１６、Ｖ−ＯＮＵ（Video-Optical Network Unit）モジュールＡ１７、Ｖ−ＯＮＵモジュールＢ１８、光延長配線モジュール１９などを着脱可能に取り付けて接続できるようになっている。
【００２４】
ＧＥ−ＯＮＵモジュール１６は、ＧＥ−ＰＯＮ（Gigabit Ethernet-Passive Optical Network）システムによるデータ通信サービスに対応する信号処理を行う通信モジュールである。Ｄ−ＯＮＵ（Data-Optical Network Unit）モジュール等も同様の機能を持つ。このＧＥ−ＯＮＵモジュール１６は、ユーザ宅内のイーサネット（登録商標）等のデータ通信用のネットワークと接続され、光ファイバ１１により伝送される光信号を電気信号に変換して復調処理し、データ信号としてユーザ宅内のネットワークに対して入出力する。このネットワークにはパーソナルコンピュータ（ＰＣ）等の情報処理機器が接続され、情報処理機器とＧＥ−ＯＮＵモジュール１６との間でデータのやり取りが行われる。
【００２５】
Ｖ−ＯＮＵモジュールＡ１７、Ｖ−ＯＮＵモジュールＢ１８は、ＴＶ放送や動画配信等のビデオ配信サービスに対応する信号処理を行う通信モジュールである。これらのＶ−ＯＮＵモジュールＡ１７、Ｂ１８は、それぞれ異なる波長で伝送される各方式のビデオ信号に対応して設けられる。Ｖ−ＯＮＵモジュールＡ１７、Ｂ１８は、ユーザ宅内のビデオ回線を介してセットトップボックス（ＳＴＢ）やテレビ等の映像機器と接続され、光ファイバ１１により伝送された光信号を電気信号に変換して復調処理し、ビデオ信号Ａ、ビデオ信号Ｂとしてそれぞれユーザ宅内の映像機器に出力する。
【００２６】
光延長配線モジュール１９は、光ファイバ１１で伝送される光信号を延長する通信モジュールであり、ユーザ宅内の光ファイバ等の光配線と接続され、光ファイバ１１により伝送された光信号を入出力する。
【００２７】
アクセス網光接続終端部１２は、余長処理部を有し、光ファイバ１１の一端の余長処理を行い、その終端を接続する。電源部１３は、直流電源または交流電源を入力し、所定の電圧に安定化した電源電圧を波長分離部１４を介して通信モジュール接続部１５に供給し、各通信モジュールなどの装置各部に電源を供給する。波長分離部１４は、光ファイバ１１により伝送される光信号の中継、分岐、波長分離を行うものであり、各種光学素子として、フィルタ、導波路、ミラー等を備えて構成される。波長分離の手段としては、ＷＤＭ（Wavelength Division Multiplexing）フィルタなどが用いられる。
【００２８】
上記のように構成された光受信装置１０をユーザ宅に設置する場合、筐体本体を所望の場所に設置し、光ファイバ１１の一端をアクセス網光接続終端部１２に接続するとともに、当該ユーザが利用する光通信サービスに応じて、対応した通信モジュールを通信モジュール接続部１５に装着する。例えば、ビデオ配信サービスを利用する場合は、Ｖ−ＯＮＵモジュールＡ１７を装着し、ユーザ宅内のビデオ回線と接続する。また、データ通信サービスを利用する場合は、ＧＥ−ＯＮＵモジュール１６を装着し、ユーザ宅内のネットワークと接続する。また、光配線をユーザ宅内に延長する場合は、光延長配線モジュール１９を装着し、ユーザ宅内の光配線と接続する。
【００２９】
また、光受信装置１０を設置した後、利用する光通信サービスの変更、追加がある場合は、当該光通信サービスに対応した通信モジュールを交換、または新たに追加して通信モジュール接続部１５に装着する。例えば、Ｖ−ＯＮＵモジュールＡ１７を装着している状態で、異なる波長で伝送される他方式のビデオ配信サービスを追加して利用する場合は、Ｖ−ＯＮＵモジュールＢ１８を増設して装着し、ユーザ宅内のビデオ回線と接続する。また、ビデオ配信サービスを利用している状態でデータ通信サービスを追加して利用する場合は、ＧＥ−ＯＮＵモジュール１６を増設して装着し、ユーザ宅内のネットワークと接続する。
【００３０】
この光受信装置１０において、光ファイバ１１により伝送される光信号がアクセス網光接続終端部１２を介して波長分離部１４に導かれる。波長分離部１４では、光信号の中継、分岐、波長分離が行われ、通信モジュール接続部１５に装着された各通信モジュールへ光信号が伝送される。そして、ＧＥ−ＯＮＵモジュール１６、Ｖ−ＯＮＵモジュールＡ１７、Ｂ１８等の各通信モジュールにおいて光電変換及び信号処理が行われ、伝送された光信号に対応するデータ信号、ビデオ信号等が出力される。
【００３１】
上記のような構成の光受信装置１０によれば、ユーザが利用したい所望のサービスに応じて必要な通信モジュールを装着することで、ユーザ毎に適応した省スペースの光受信装置を構成可能である。また、異常時には通信モジュールを着脱することで異常機能の切り分け、交換が容易に行えるため、異常箇所の特定を比較的容易に短時間で行うことができ、異常となった通信モジュールのみを交換することで修復可能である。このため、機能復帰や修理の対応が容易となる。設置後にサービスの変更や拡張を行うには、通信モジュールを交換したり、新たに追加して装着するだけで対応可能である。
【００３２】
図２は本発明の第２の実施形態に係る光受信装置の概略構成を示すブロック図である。第２の実施形態は前述した第１の実施形態の変形例であり、光受信装置の内部構成を一部変更したものである。図１に示した第１の実施形態と同様の構成要素には同一の符号を付して説明を省略する。
【００３３】
第２の実施形態の光受信装置２０は、アクセス網光接続終端部１２と、電源部１３と、波長分離部２１と、通信モジュール接続部２２と、データ信号処理部２３とを備える。波長分離部２１と通信モジュール接続部２２は、それぞれ第１の実施形態と同様の機能を持つもので、接続構成が異なるものである。
【００３４】
データ信号処理部２３は、第１の実施形態のＧＥ−ＯＮＵモジュール１６と同等の機能を有し、ＧＥ−ＰＯＮシステムによるデータ通信サービスに対応する信号処理を行うものである。このデータ信号処理部２３は、ユーザ宅内のイーサネット（登録商標）等のデータ通信用のネットワークと接続され、光ファイバ１１により伝送される光信号を電気信号に変換して復調処理し、データ信号としてユーザ宅内のネットワークに対して入出力する。
【００３５】
通信モジュール接続部２２は、プラグイン型の通信モジュールとして、Ｖ−ＯＮＵモジュールＡ１７、Ｖ−ＯＮＵモジュールＢ１８、光延長配線モジュール１９などを着脱可能に取り付けて接続できるようになっている。
【００３６】
上記のように構成された光受信装置２０をユーザ宅に設置する場合、筐体本体を所望の場所に設置し、光ファイバ１１の一端をアクセス網光接続終端部１２に接続するとともに、当該ユーザが利用する光通信サービスに応じて、対応した通信モジュールを通信モジュール接続部２２に装着する。そして、データ信号処理部２３をユーザ宅内のネットワークと接続する。
【００３７】
第２の実施形態では、データ信号処理部２３が予め搭載されているため、データ通信サービスが利用可能となっている。光受信装置２０の設置時または設置後に、利用する光通信サービスの追加、変更がある場合は、当該光通信サービスに対応した通信モジュールを新たに追加、または交換して通信モジュール接続部２２に装着する。例えば、ビデオ配信サービスを追加して利用する場合は、Ｖ−ＯＮＵモジュールＡ１７を増設して装着し、ユーザ宅内のビデオ回線と接続する。さらに異なる波長で伝送される他方式のビデオ配信サービスを追加して利用する場合は、Ｖ−ＯＮＵモジュールＢ１８を増設して装着し、ユーザ宅内のビデオ回線と接続する。また、光配線をユーザ宅内に延長する場合は、光延長配線モジュール１９を装着し、ユーザ宅内の光配線と接続する。
【００３８】
この光受信装置２０においても、図１の第１の実施形態と同様、光ファイバ１１により伝送される光信号がアクセス網光接続終端部１２を介して波長分離部２１に導かれる。波長分離部２１では、光信号の中継、分岐、波長分離が行われ、データ信号処理部２３とともに、通信モジュール接続部２２に装着された各通信モジュールへ光信号が伝送される。そして、Ｖ−ＯＮＵモジュールＡ１７、Ｂ１８等の各通信モジュールにおいて光電変換及び信号処理が行われ、伝送された光信号に対応するデータ信号、ビデオ信号等が出力される。
【００３９】
上記のような構成の光受信装置２０によれば、第１の実施形態の光受信装置１０と同様に、必要な通信モジュールを装着することで、ユーザ毎に適応した省スペースの光受信装置を構成可能である。ユーザが利用したい所望のサービスに応じて、例えばデータ通信サービスの利用状態から追加してビデオ配信サービスを利用したいような場合に、Ｖ−ＯＮＵモジュールを増設することで、容易にデータ通信サービスとビデオ配信サービスとを利用可能にできる。
【００４０】
次に、本実施形態の光受信装置に用いられる通信モジュールの外観構成を示す。図３は本実施形態に係る通信モジュールの概略構成図である。通信モジュール３０は、Ｖ−ＯＮＵモジュールやＧＥ−ＯＮＵモジュール等の機能毎に構成されるもので、光受信装置１０、２０の通信モジュール接続部１５、２２に着脱可能に装着されて使用される。この通信モジュール３０は、例えば厚い板状あるいは直方体状の筐体を有して構成され、内部にＶ−ＯＮＵやＧＥ−ＯＮＵ等の回路基板を内蔵している。また、通信モジュール３０は、端部に光伝送路を接続する光コネクタ部３１と、電源供給ラインを接続する電源コネクタ部３２を備えている。この通信モジュール３０を図中矢印方向に向かって通信モジュール接続部１５、２２に挿入して装着することによって、光コネクタ部３１及び電源コネクタ部３２を介して光受信装置１０、２０の波長分離部１４、２１及び電源部１３と接続され、光信号の供給及び電源の供給を受けるようになっている。このように着脱可能にユニット化した構成の通信モジュール３０において、光電変換や信号処理等が行われる。
【００４１】
上記のような構成の着脱可能な通信モジュール３０は、ユーザが特別な工具を用いたり煩雑な作業を必要とせずに、光受信装置に対して容易に取り付け、取り外しすることができる。これにより、簡単な作業で所望の機能を有する光受信装置を構成可能である。
【００４２】
次に、本実施形態の光受信装置における波長分離部及び通信モジュール接続部の構成例を示す。
【００４３】
図４は波長分離部の第１の構成例を示す概略構成図である。この第１の構成例は、図２に示した第２の実施形態の光受信装置などに好適な構成である。第１の構成例の波長分離部５０は、波長分離部及び通信モジュール接続部の機能を含む簡略化した基本構成を示すもので、例えば１．３１μｍ（上りデータ通信用）、１．４９μｍ（下りデータ通信用）、１．５５μｍ（映像用）の３波長対応の波長分離ユニットの構成となっている。この波長分離部５０は、光信号を入出力する光コネクタ５１、５２、５３と、光信号を分離する光波長分離素子５４とを有して構成される。光波長分離素子５４は、特定波長の光を透過し、その他の波長の光を反射して光信号の波長を２つに分離するもので、ＷＤＭフィルタ等の波長分離用のミラーなどにより構成される。この光波長分離素子５４は、ビデオ信号やデータ信号など、ユーザが利用するサービスに対応した波長を分離する構成とする。なお、光波長分離素子５４において波長を分離せずに光信号を２つに分離する構成を用いたり、このような単純に光信号を分離する構成を含めるようにしてもよい。
【００４４】
波長分離部５０の一方の出力側の光コネクタ５２には、Ｖ−ＯＮＵモジュール５５の光コネクタ５６などが着脱可能に接続され、他方の出力側の光コネクタ５３には、データ信号処理部２３が接続されている。Ｖ−ＯＮＵモジュール５５は、光入力部の光コネクタ５６の近傍に受光素子（ＰＤ）５７を備えており、入力された光信号を光電変換してビデオ信号に関する信号処理を行う。この受光素子５７の受光面には、コーティング等により形成されたフィルタ５８が設けられ、所望の波長の光信号を透過するようになっている。例えば、映像用に用いられる１５５８．９８ｎｍと１５５２．５２ｎｍの２つの波長を分離し、所望の波長の光信号のみを受光して光電変換できるようになっている。ここで、一方の波長に対応したＶ−ＯＮＵモジュールＡ１７と、他方の波長に対応したＶ−ＯＮＵモジュールＢ１８とを用意しておき、ユーザが利用するサービスに応じてＶ−ＯＮＵモジュールを選択的に接続して使用することが可能である。
【００４５】
この波長分離部５０では、光ファイバ１１により伝送される光信号が光波長分離素子５４で１．５５μｍの波長とそれ以外の波長とに分離され、１．５５μｍの波長の光信号がＶ−ＯＮＵモジュール５５に伝送され、その他の波長の光信号がデータ信号処理部２３との間で伝送される。データ信号処理部２３では、下りデータ通信用の１．４９μｍの波長の光信号の入力、上りデータ通信用の１．３１μｍの波長の光信号の出力、これらの光信号の光電変換、及びデータ信号に関する信号処理が行われる。また、Ｖ−ＯＮＵモジュール５５では、１５５８．９８ｎｍまたは１５５２．５２ｎｍの波長の光信号の入力及び光電変換、並びにビデオ信号に関する信号処理が行われる。
【００４６】
上記のような構成の波長分離部５０を用いることにより、光通信サービス毎に対応する波長を分離し、Ｖ−ＯＮＵモジュール等の通信モジュールを着脱自在な状態で接続可能となる。
【００４７】
図５は波長分離部の第２の構成例を示す概略構成図である。この第２の構成例は、図１に示した第１の実施形態や図２に示した第２の実施形態の光受信装置などに好適な構成である。第２の構成例の波長分離部６０は、第１の構成例と同様に波長分離部及び通信モジュール接続部の機能を含むもので、光伝送路ユニット６１と、この光伝送路ユニット６１に着脱可能な波長分離モジュール６２、光接続ジャンパ６３、光終端部６４とを有して構成される。光伝送路ユニット６１は、光信号を入出力する光コネクタ７１、７２、７４と、光信号を中継する光伝送路を持つ光伝送部７３とを有している。光接続ジャンパ６３は、光信号を中継する光伝送路を備えたプラグイン型の接続モジュールである。光終端部６４は、光信号を終端するもので、光信号が反射して逆送することを防止する構造を有している。
【００４８】
図６は波長分離モジュールの構成を示す図である。波長分離モジュール６２は、プラグイン型の光学モジュールであり、光信号を入出力する光コネクタ７５、７６、７７と、光信号を分離する光波長分離素子７８と、分離した一方の光信号を光コネクタ７７に導く導波路等による光学的伝達手段である光伝達部７９とを有している。光波長分離素子７８は、特定波長（λ１）の光を透過し、その他の波長（λ２，λ３，…）の光を反射して光信号の波長を２つに分離するもので、ＷＤＭフィルタ等の波長分離用のミラーなどにより構成される。なお、波長分離モジュール６２の代わりに、波長を分離せずに光信号を２つに分離する構成のモジュールを用いたり、このような単純に光信号を分離する構成を波長分離モジュール６２に含めるようにしてもよい。
【００４９】
この波長分離モジュール６２は、入力側の光コネクタ７５を光伝送路ユニット６１の光コネクタ７２に、一方の出力側の光コネクタ７７を光伝送部７３のコネクタ７４にそれぞれ接続する。この際、ユーザが利用するサービスに応じて、対応する波長を分離する波長分離モジュールを用いる。波長分離モジュール６２の他方の出力側の光コネクタ７６には、Ｖ−ＯＮＵモジュール５５の光コネクタ５６などが着脱可能に接続される。そして、光伝送路ユニット６１には、通信モジュール接続部１５、２２の空きスロットに対応する部分の未使用コネクタに光接続ジャンパ６３を接続し、光伝送路の末端に光終端部６４を接続する。光終端部６４は、光接続ジャンパ６３の代わりに光伝送路の末端となる部分に着脱可能に接続する構成としてもよい。
【００５０】
この波長分離部６０では、第１の構成例の波長分離部５０と同様に、光ファイバ１１により伝送される光信号が光波長分離素子７８で１．５５μｍの波長とそれ以外の波長とに分離され、１．５５μｍの波長の光信号がＶ−ＯＮＵモジュール５５に伝送される。Ｖ−ＯＮＵモジュール５５は、映像用に用いられる１５５８．９８ｎｍと１５５２．５２ｎｍの２つの波長を分離し、所望の波長の光信号のみを受光して光電変換し、ビデオ信号に関する信号処理を行う。
【００５１】
ここで、波長分離部６０は、例えば図１に示した第１の実施形態の光受信装置１０の構成に適合させ、装着されるＧＥ−ＯＮＵモジュール１６、Ｖ−ＯＮＵモジュールＡ１７、Ｖ−ＯＮＵモジュールＢ１８、光延長配線モジュール１９などの各通信モジュールに対応させて波長分離モジュール６２などを接続した構成とすることもできる。
【００５２】
上記のような構成の波長分離部６０を用いることにより、光通信サービス毎に対応する波長を分離し、Ｖ−ＯＮＵモジュール等の通信モジュールを着脱自在な状態で接続可能となる。この場合、波長分離モジュール６２を着脱可能な構成とすることにより、接続する所望の光通信サービスの通信モジュールに対応させて、容易かつ柔軟に各種多様な仕様の波長分離部を構成できる。
【００５３】
上述した波長分離部５０、６０において、通信モジュールを着脱可能に接続する光コネクタは、外力の影響を受けない構造となっている。例えば、通信モジュールの出力部にビデオ信号用の同軸ケーブルなどを接続する際に、外力が加わって光コネクタ部分の接続安定性が損なわれるおそれがある。そこで、外力が加わっても光コネクタにより接続される両光伝送路の光軸の角度が変化しないように、弾性部材などにより構成される応力吸収手段等を光コネクタに設けるようにする。
【００５４】
また、光終端部は、光伝送路の末端で反射を防止する部材を設ける以外に、通信モジュールの接続部の光コネクタに斜めコネクタを用いたり、光コネクタ部をシャッタ構造としてこのシャッタ部に光終端機能を持たせるような構成であってもよい。斜めコネクタを用いることにより、特に光終端機能を持つ部材を設けることなく、通信モジュールの接続の有無に関わらず光伝送路を終端した状態にできる。シャッタ構造を用いることにより、通信モジュールが接続されていない場合に光コネクタ部が閉じるような構成にでき、光伝送路を終端状態にできる。
【００５５】
図７は斜めコネクタを用いた光コネクタの構成例を示す図である。波長分離部の光コネクタ７２、７４、７５、７７には、図７に示すような斜めコネクタ８１を設けることもできる。斜めコネクタ８１は、光伝送路の接続部として、端面が斜めに形成された接続部８２を有している。このような斜めコネクタ８１を用いることにより、光終端部を設けることなく、通信モジュールの接続の有無に関わらず光伝送路を終端状態にすることができる。
【００５６】
上記のような光受信装置に着脱可能なＶ−ＯＮＵモジュール等の通信モジュールは、テレビ等を接続するセットトップボックス（ＳＴＢ）等の映像機器に装着して使用することも可能である。図８は通信モジュールを映像機器に接続した場合の光受信システムの構成を示す図、図９は通信モジュールを着脱可能に接続した映像機器の概略構成を示すブロック図である。
【００５７】
図８に示す光受信システムでは、ＧＥ−ＯＮＵモジュール１５等の通信モジュールが着脱可能に装着される波長分離部６０を備えた光受信装置９０に対して、ユーザ宅内に配線された光ケーブルによる光配線９２の光コネクタ９１を波長分離部６０に接続する構成である。なお、図１等に示した光延長配線モジュール１９を用いて光配線９２を接続するようにしてもよい。
【００５８】
光配線９２の他端には、セットトップボックス（ＳＴＢ）やハードディスクレコーダ（ＨＤＤレコーダ）などの映像機器１００が接続される。この映像機器１００は、映像表示用モニタであるＴＶ１１０が接続されるとともに、Ｖ−ＯＮＵモジュール５５等の通信モジュールを着脱可能に装着できるようになっている。映像機器１００の通信モジュール用の接続スロットには、Ｖ−ＯＮＵモジュール５５が着脱可能に装着されて接続される。そして、Ｖ−ＯＮＵモジュール５５の光コネクタ５６に光配線９２の他端の光コネクタを接続する。
【００５９】
図９に示すように、Ｖ−ＯＮＵモジュール５５は、一方の端部に光コネクタ５６及び電源コネクタ１１５を有するとともに、他方の端部に電源コネクタ１１６及びＲＦコネクタ１１７を有して構成される。すなわち、光受信装置と映像機器の両方の装置に着脱可能な構成となっている。光受信装置に装着する場合は、光コネクタ５６及び電源コネクタ１１５を接続し、映像機器に装着する場合はＲＦコネクタ１１７及び電源コネクタ１１６を接続する。このＶ−ＯＮＵモジュール５５は、光電変換部１１１、復調部１１２、ＲＦ出力部１１３、電源部１１４を備える。
【００６０】
Ｖ−ＯＮＵモジュール５５が映像機器１００に装着される場合、映像機器１００内の通信モジュール接続部に挿入され、通信モジュールＩＦ（インタフェース）１０１に接続される。この際、ＲＦコネクタ１１７を介してＲＦ接続部１０２に接続されるとともに、電源コネクタ１１６を介して電源供給部１０３に接続される。Ｖ−ＯＮＵモジュール５５は、電源部１１４が映像機器１００からの電源供給を電源供給部１０３を介して受け、各部に動作電源を供給することで動作する。このＶ−ＯＮＵモジュール５５では、光電変換部１１１で光信号が電気信号に変換され、復調部１１２でビデオ信号の復調処理が行われ、ＲＦ出力部１１３よりＲＦ信号のビデオ信号として出力される。そして、ＲＦ信号がＲＦ接続部１０２を介して映像機器１００のビデオ信号入力部に出力される。映像機器１００は、Ｖ−ＯＮＵモジュール５５から入力したビデオ信号の信号処理を行い、ＴＶ１１０に出力して映像を表示したり、このビデオ信号の記録等を行う。
【００６１】
このような光受信システムによれば、Ｖ−ＯＮＵモジュール５５を光受信装置及び映像機器の両方に着脱可能として共通に使用できる構成することによって、通信モジュールをユーザの手元の映像機器等において容易に交換、追加することが可能となる。このため、ユーザ宅において光受信装置の設置場所での作業が困難である場合などにも、光配線の末端の映像機器等において、煩雑な作業や工具を必要とせずに、ユーザ自身が利用する所望の光通信サービスに応じて容易に通信モジュールを交換、追加して使用することができる。
【００６２】
上述したように、本実施形態の光受信装置及び光受信システムでは、データ通信やビデオ配信など、ユーザが利用するサービスに応じて容易かつ柔軟に対応でき、サービスの拡張等も容易に行うことができるため、使い勝手を向上させることができる。
【００６３】
なお、上述した光受信装置や光受信システムには、その他の通信モジュールとして、無線ＬＡＮモジュール、ＰＬＣ（電力線通信）モジュールなどを装着可能として、光通信サービスを利用するための多様なユーザ宅内配線を提供することもできる。
【００６４】
なお、本発明は上記の実施形態において示されたものに限定されるものではなく、明細書の記載、並びに周知の技術に基づいて、当業者が変更、応用することも本発明の予定するところであり、保護を求める範囲に含まれる。
【産業上の利用可能性】
【００６５】
本発明は、ユーザが利用するサービスに応じて容易かつ柔軟に対応でき、サービスの拡張等も容易に行うことが可能となる効果を有し、ＦＴＴＨ等の光ファイバ回線網を用いた光通信システムの光終端装置等に用いられる光受信装置等として有用である。
【図面の簡単な説明】
【００６６】
【図１】本発明の第１の実施形態に係る光受信装置の概略構成を示すブロック図
【図２】本発明の第２の実施形態に係る光受信装置の概略構成を示すブロック図
【図３】本実施形態に係る通信モジュールの概略構成図
【図４】本実施形態に係る波長分離部の第１の構成例を示す概略構成図
【図５】本実施形態に係る波長分離部の第２の構成例を示す概略構成図
【図６】本実施形態に係る波長分離モジュールの構成を示す図
【図７】斜めコネクタを用いた光コネクタの構成例を示す図
【図８】通信モジュールを映像機器に接続した場合の光受信システムの構成を示す図
【図９】通信モジュールを着脱可能に接続した映像機器の概略構成を示すブロック図
【符号の説明】
【００６７】
１０、２０  光受信装置
１１  光ファイバ
１２  アクセス網光接続終端部
１３  電源部
１４、２１  波長分離部
１５、２２  通信モジュール接続部
１６  ＧＥ−ＯＮＵモジュール
１７、１８  Ｖ−ＯＮＵモジュール
１９  光延長配線モジュール
２３  データ信号処理部（ＧＥ−ＯＮＵ）
５０、６０  波長分離部
５１、５２、５３、５６、７１、７２、７５、７６、７７  光コネクタ
５４、７８  光波長分離素子
５７  受光素子
５８  フィルタ
６１  光伝送路ユニット
６２  波長分離モジュール
６３  光接続ジャンパ
６４  光終端部
【図１】
2008277962.tif 000003
【図２】
2008277962.tif 000004
【図３】
2008277962.tif 000005
【図４】
2008277962.tif 000006
【図５】
2008277962.tif 000007
【図６】
2008277962.tif 000008
【図７】
2008277962.tif 000009
【図８】
2008277962.tif 000010
【図９】
2008277962.tif 000011